(57)【要約】【課題】意匠性を向上させるとともに、設置された姿勢を維持可能なキャップ部材を備えるサイディングの外壁構造を提供すること。【解決手段】外表面２ａにおいて上下方向にそれぞれ延びる凹部２１及び凸部２２が交互に並んで配置される複数のサイディング２と、２つのサイディング２の外表面２ａが出合うことで形成される出隅部４を覆うキャップ部材３と、を備える外壁構造１であって、キャップ部材３は、キャップ部材３を外壁に固定するための固定部３２と、固定部３２から２つのサイディング２の外表面２ａに沿って延出する一対の延出部３１と、を有し、出隅部４を構成する両方又は一方のサイディング２の端部には凹部２１が配置され、出隅部４における凹部２１を覆う延出部３１と凹部２１との間には、延出部３１が凹部２１側に変形移動するのを規制する規制部材５が設けられる外壁構造１である。【選択図】図２
2019073924.tif 000002
【特許請求の範囲】
【請求項１】
外表面において上下方向にそれぞれ延びる凹部及び凸部が交互に並んで配置される複数のサイディングと、
２つの前記サイディングの外表面が出合うことで形成される出隅部を覆うキャップ部材と、を備える外壁構造であって、
前記キャップ部材は、該キャップ部材を外壁に固定するための固定部と、該固定部から前記２つのサイディングの外表面に沿って延出する一対の延出部と、を有し、
前記出隅部を構成する両方又は一方の前記サイディングの端部には前記凹部が配置され、
前記出隅部における前記凹部を覆う前記延出部と該凹部との間には、該延出部が該凹部側に変形移動するのを規制する規制部材が設けられる外壁構造。
【請求項２】
前記規制部材は、先端側に向かうほど外側に傾斜している請求項１に記載の外壁構造。
【請求項３】
前記出隅部を構成する一方の前記サイディングの端部には前記凹部が配置され、前記出隅部を構成する他方の前記サイディングの端部には前記凸部が配置される請求項１又は２に記載の外壁構造。
【請求項４】
外表面において上下方向にそれぞれ延びる凹部及び凸部が交互に並んで配置される複数のサイディングと、２つの前記サイディングの外表面が出合うことで形成される出隅部を覆うキャップ部材と、を備える外壁構造の施工方法であって、
前記キャップ部材は、該キャップ部材を建物の外壁に固定するための固定部及び前記２つのサイディングの前記外表面に沿って延出する一対の延出部を有し、
前記複数のサイディングを前記外壁に沿って配置する配置工程と、
前記出隅部に接するサイディングの端部を、前記出隅部の位置に合わせて切断する切断工程と、
前記固定部を、前記２つのサイディングと前記外壁との間に配置して固定する固定工程と、
前記切断工程の後、前記出隅部を構成する両方又は一方のサイディングの端部に前記凹部が配置された場合に、前記キャップ部材の前記延出部が前記凹部側に変形移動するのを規制する規制部材を、前記固定部に取り付ける規制部材取付工程と、を有する、外壁構造の施工方法。
【請求項５】
２つのサイディングの外表面が出合うことで形成される出隅部を覆うキャップ部材の変形移動を規制する規制部材であって、
前記キャップ部材における前記出隅部を覆うように延出する一対の延出部の内側面に当接可能に延びる規制面を備える、規制部材。
【請求項６】
前記規制面は、先端側に向かうほど外側に傾斜し、
前記キャップ部材に取り付けられる取付部と、
前記取付部から延びて前記規制面及び前記取付部を接続する取付延出部と、をさらに備える請求項５に記載の規制部材。
【発明の詳細な説明】
【技術分野】
【０００１】
本発明は、外壁構造、外壁構造の施工方法及びこれらに用いられる規制部材に関する。
【背景技術】
【０００２】
従来、表面に凹部及び凸部が形成された複数のサイディングを隣接して配置し、建物の外壁等に取り付けるサイディングの外壁構造が知られている。サイディングは、建物の出隅部では、建物の一方の面に設けられたサイディングの端部と、建物の他方の面に設けられたサイディングの端部とが突き合わされ、その端部が外部から視認されないように、キャップ部材が取り付けられる（例えば、特許文献１参照）。
【０００３】
ところで、表面に凹凸が形成された複数のサイディングを隣接して配置すると、施工誤差や、サイディングを取り付ける外壁等の面積とサイディングの面積との関係等から、サイディングの出隅側の端部に凹部が位置する場合と、凸部が位置する場合とがある。キャップ部材は、出隅部からキャップ部材のキャップ端部までの長さを長く構成することで、サイディングの出隅側の端部に凹部が位置した場合、凸部が位置した場合のいずれであっても、キャップ部はサイディングのどこかの位置で凸部に支持される。
【先行技術文献】
【特許文献】
【０００４】
【特許文献１】特許４５７３０２９号公報
【発明の概要】
【発明が解決しようとする課題】
【０００５】
一方、キャップ部材の出隅部からキャップ部材のキャップ端部までの長さが長い場合、キャップ部材の見付方向の幅が広いこととなり、キャップ部材が目立ち、意匠性が損なわれる場合があった。キャップ部材の出隅部からキャップ部材のキャップ端部までの長さを短くし、キャップ部材の見付方向の幅を狭くすると、キャップ部材が目立たなくなり、意匠性が向上する。
【０００６】
しかし、キャップ部材の出隅部からキャップ部材のキャップ端部までの長さを短くすると、キャップ部材がサイディングの凹部の上に位置する場合が生じる。幅の短くなったキャップ部材が、出隅部に対して一方のサイディング側で凹部の上に位置し、他方のサイディング側で凸部の上に位置した場合、キャップ部の一部が凸部に当接する反動で、凹部の上に位置するキャップ部材の一部が、内側に傾きやすくなるという問題があった。
【０００７】
本発明は、意匠性を向上させるとともに、設置された姿勢を維持可能なキャップ部材を備えるサイディングの外壁構造を提供すること目的とする。
【課題を解決するための手段】
【０００８】
上記目的を達成するため本発明は、外表面（例えば、後述の外表面２ａ）において上下方向にそれぞれ延びる凹部（例えば、後述の凹部２１）及び凸部（例えば、後述の凸部２２）が交互に並んで配置される複数のサイディング（例えば、後述のサイディング２）と、２つの前記サイディングの外表面が出合うことで形成される出隅部（例えば、後述の出隅部４）を覆うキャップ部材（例えば、後述のキャップ部材３）と、を備える外壁構造（例えば、後述の外壁構造１）であって、前記キャップ部材は、該キャップ部材を外壁に固定するための固定部（例えば、後述の固定部３２）と、該固定部から前記２つのサイディングの外表面に沿って延出する一対の延出部（例えば、後述の延出部３１）と、を有し、前記出隅部を構成する両方又は一方の前記サイディングの端部には前記凹部が配置され、前記出隅部における前記凹部を覆う前記延出部と該凹部との間には、該延出部が該凹部側に変形移動するのを規制する規制部材（例えば、後述の規制部材５）が設けられる外壁構造を提供する。
【０００９】
前記規制部材は、先端側に向かうほど外側に傾斜していることが好ましい。
【００１０】
前記出隅部を構成する一方の前記サイディングの端部には前記凹部が配置され、前記出隅部を構成する他方の前記サイディングの端部には前記凸部が配置されることが好ましい。
【００１１】
また、本発明は、外表面において上下方向にそれぞれ延びる凹部及び凸部が交互に並んで配置される複数のサイディングと、２つの前記サイディングの外表面が出合うことで形成される出隅部を覆うキャップ部材と、を備える外壁構造の施工方法であって、前記キャップ部材は、該キャップ部材を建物の外壁に固定するための固定部及び前記２つのサイディングの前記外表面に沿って延出する一対の延出部を有し、前記複数のサイディングを前記外壁に沿って配置する配置工程（例えば、後述の配置工程Ｓ１）と、前記出隅部に接するサイディングの端部を、前記出隅部の位置に合わせて切断する切断工程（例えば、後述の切断工程Ｓ２）と、前記固定部を、前記２つのサイディングと前記外壁との間に配置して固定する固定工程（例えば、後述の固定工程Ｓ３）と、前記切断工程の後、前記出隅部を構成する両方又は一方のサイディングの端部に前記凹部が配置された場合に、前記キャップ部材の前記延出部が前記凹部側に変形移動するのを規制する規制部材を、前記固定部に取り付ける規制部材取付工程（例えば、後述の規制部材取付工程Ｓ４）と、を有する、外壁構造の施工方法を提供する。
【００１２】
また、本発明は、２つのサイディングの外表面が出合うことで形成される出隅部を覆うキャップ部材の変形移動を規制する規制部材であって、前記キャップ部材における前記出隅部を覆うように延出する一対の延出部の内側面に当接可能に延びる規制面（例えば、後述の規制面５３）を備える、規制部材を提供する。
【００１３】
前記規制面は、先端側に向かうほど外側に傾斜し、前記キャップ部材に取り付けられる取付部（例えば、後述の取付部５１）と、前記取付部から延びて前記規制面及び前記取付部を接続する取付延出部（例えば、後述の取付延出部５２）と、をさらに備えることが好ましい。
【発明の効果】
【００１４】
本発明によれば、意匠性を向上させるとともに、設置された姿勢を維持可能なキャップ部材を備えるサイディングの外壁構造を提供することができる。
【図面の簡単な説明】
【００１５】
【図１】本実施形態のサイディングの外壁構造を示す斜視図である。
【図２】本実施形態の出隅部の平面図である。
【図３】本実施形態のキャップ部材の分解断面図である。
【図４】本実施形態の規制部材を示し、（ａ）図は断面図、（ｂ）図は斜視図である。
【発明を実施するための形態】
【００１６】
以下、本発明の実施形態について図面を参照しながら詳細に説明する。
図１は、本実施形態の外壁構造１を示す斜視図である。図１に示すように、外壁構造１は、サイディング２と、キャップ部材３と、出隅部４と、規制部材５と、シーリング材６と、を有する。
【００１７】
サイディング２は、本実施形態では、建築用の金属サイディングのパネルであり、建物の外壁に施工される。サイディング２は、例えば、建物の胴縁１１の外側に釘等で固定して取り付けられる。
サイディング２は、略長方形に形成され、所定厚みを有する。サイディング２は、その外表面２ａに上下方向に延びる凹部２１及び凸部２２を有し、凹部２１及び凸部２２は、サイディング２の幅方向に沿って交互に並んで配置される。
サイディング２は、例えば、外表面２ａはガリバリウム鋼板で、裏面２ｂはアルミ材で形成され、外表面２ａ及び裏面２ｂの間にウレタンが配置されている。
【００１８】
サイディング２は、施工する建物の外壁等の寸法に合わせて、複数枚が連続して取り付けられる。建物の角部では、サイディング２の一方の第一面２１０の端部と、他方の第二面２２０の端部とが突き合わせて配置され、２つのサイディング２の外表面２ａが出合うことで出隅部４が形成される。
【００１９】
図２は、出隅部４の平面図である。図２に示すように、出隅部４は、外壁の寸法や施工状況によって、出隅部４を構成する両方又は一方のサイディング２の端部に凹部２１が配置される。すなわち、サイディング２が出隅部４まで敷設されたときに、サイディング２の端部が凹部２１となる位置で切断される場合と、端部が凸部２２となる位置で切断される場合があり、出隅部４で向き合うサイディング２の見込方向の高さが合わない場合がある。例えば、図２では、出隅部４を構成する一方（第一面２１０）のサイディング２の端部には、凹部２１が配置されているのに対し、他方（第二面２２０）のサイディング２の端部には、凸部２２が配置されている。
【００２０】
図２に示すように、キャップ部材３は、出隅部４を覆うように配置される。キャップ部材３の長さは、サイディング２の上下方向の長さと略同じである。
図３は、キャップ部材３の分解断面図である。図２及び図３に示すように、キャップ部材３は、一対の延出部３１と、固定部３２と、を有する。
【００２１】
延出部３１は、サイディング２の外表面２ａに沿って延出する。延出部３１は、一枚の略長方形の板面を幅方向の中央部で略直角に折り曲げて、出隅部４の２つのサイディング２の端部をそれぞれ覆うように一対形成される。図２及び図３に示すように、延出部３１は、断面視では矢印の形状をしている。延出部３１は、頂部３１０と、第一延出部３１１と、第二延出部３１２と、係合部３１３と、を有する。
【００２２】
頂部３１０は、折り曲げた延出部３１の頂点部分であり、出隅部４の角部に位置する。頂部３１０は、キャップ部材３を出隅部４に取り付けた状態で出隅部の外側に位置する。
【００２３】
第一延出部３１１は、頂部３１０からサイディング２の第一面２１０側を覆うように延出する部分であり、一枚の板面を頂部３１０から所定長さの位置で折り返して形成される。
【００２４】
第二延出部３１２は、頂部３１０からサイディング２の第二面２２０側を覆うように延出する部分であり、一枚の板面を頂部３１０から所定長さの位置で折り返して形成される。
【００２５】
係合部３１３は、折り返した第一延出部３１１及び第二延出部３１２のそれぞれの端部が、頂部３１０の裏側で互いに近づき、頂部３１０の裏側を基端として、内側に向かって延びる。例えば、第一延出部３１１と第二延出部３１２とが略９０度に接続されていた場合、係合部３１３はその半分の４５度の方向に延びる。
係合部３１３の遠位端側には、頂部３１０から第一延出部３１１及び第二延出部３１２それぞれの折り返した端部までの長さの半分程度の位置から、さらに外側に向かうように屈曲する屈曲部３１０ａが設けられる。
【００２６】
固定部３２は、キャップ部材３を外壁に固定する部分である。固定部３２は、出隅部４の内側、すなわち胴縁１１とサイディング２との間に固定され、出隅部４を覆う延出部３１が係合する。固定部３２は、挿入部３２１と、受け部３２２と、を有する。
【００２７】
挿入部３２１は、胴縁１１の角部に沿って配置されるように平面視でくの字に形成され、長手方向がサイディング２の長手方向と略同じ寸法に形成される。挿入部３２１は、一対の細長い長方形の板面部３２１ａ、３２１ｂが長手方向の側縁に沿って互いに接合され、略９０度に屈曲するように形成される部分である。一方の板面部３２１ａは、サイディング２の第一面２１０と建物の胴縁１１との間に挿入される。他方の板面部３２１ｂは、サイディング２の第二面２２０と建物の胴縁１１との間に位置するように、胴縁１１とサイディング２との間に挿入される。
【００２８】
受け部３２２は、一方の板面部３２１ａと他方の板面部３２１ｂが接続される部分から外側に突出し、サイディング２の第一面２１０の端部と第二面２２０の端部との間の空間に配置される部分である。受け部３２２は、断面視で合計５本の突起を有する。詳細には、受け部３２２は、中央部３２２ａと、延出部係合部３２２ｂ、３２２ｃと、規制部材係合部３２２ｄ、３２２ｅと、を有する。
【００２９】
中央部３２２ａは、挿入部３２１における一方の板面部３２１ａと他方の板面部３２１ｂが接続される部分から、出隅部４の外側へ最も長く突出する板状部である。中央部３２２ａは、一対の板面部３２１ａ、３２１ｂから外側へ延長させた一対の仮想延長線Ｌ１（図３参照）で形成される角度の半分（すなわち、略４５度）の方向に延びる。
【００３０】
規制部材係合部３２２ｄ、３２２ｅは、中央部３２２ａの根元側から枝別れして、仮想延長線Ｌ１（図３参照）上に延びる板状部である。規制部材係合部３２２ｄ、３２２ｅには、後述する規制部材５が係合する。規制部材係合部３２２ｄ、３２２ｅの先端は、中央部３２２ａの先端よりも低く、すなわち板面部３２１ａ、３２１ｂに寄りに位置する。
【００３１】
延出部係合部３２２ｂ、３２２ｃは、中央部３２２ａと規制部材係合部３２２ｄ、３２２ｅとの間に位置し、規制部材係合部３２２ｄ、３２２ｅの途中から中央部３２２ａの延びる方向と平行、すなわち外側に向かって突出する板状部である。延出部係合部３２２ｂ、３２２ｃは、中央部３２２ａを間に挟んだ一方と他方に位置する。
【００３２】
延出部係合部３２２ｂ、３２２ｃの先端には、中央部３２２ａ側に向かって膨出する曲面状の凸部３２３が形成されている。
中央部３２２ａと延出部係合部３２２ｂの間、中央部３２２ａと延出部係合部３２２ｃの間それぞれに、延出部３１の係合部３１３が挿入されて係合する。詳細には、係合部３１３は、一枚の金属製の板を折り返して形成されているため、係合部３１３の先端には外側に開こうとする力がかかっており、係合部が中央部３２２ａと延出部係合部３２２ｂ、３２２ｃの間に挿入されることで、延出部係合部３２２ｂ、３２２ｃの内面を押圧するようにして係合する。延出部係合部３２２ｂ、３２２ｃの先端に凸部３２３が形成されているので、滑って外れることが防止されるようになっている。
【００３３】
図４は規制部材５を示し、（ａ）図は、規制部材５の断面図、（ｂ）図は斜視図である。図４（ａ）及び（ｂ）に示すように、規制部材５は、一枚の略長方形の板状の部材が折り畳まれ、折り畳んだ一方の端部から幅方向に広がるように延出する形状を有する。規制部材５は、キャップ部材３よりも長手方向の長さが短く、例えば８ｃｍ〜１２ｃｍ程度の長さである。図１に示すように、規制部材５は、キャップ部材３の延出部３１の内側で、出隅部４の上端側と下端側に２か所配置される。規制部材５は、図２に示すように、出隅部４におけるキャップ部材３の延出部３１とサイディング２の凹部２１との間に配置され、延出部３１が凹部２１側に変形移動するのを規制する。規制部材５は、サイディング２と同じ素材、例えばガリバリウム鋼板で構成される。
【００３４】
図４（ａ）に示すように、規制部材５は、取付部５１と、取付延出部５２と、規制面５３と、を有する。
取付部５１は、規制部材５を構成する板状の部材を所定幅重ね合わせるように折り畳んだ部分である。取付部５１は、板状の部材を折り畳むことによって形成される開口５１ａと、開口５１ａと反対側の屈曲端５１ｂとを有する。取付部５１は、開口５１ａの間に、規制部材係合部３２２ｄ、３２２ｅそれぞれを挟んで係合させることでキャップ部材３の固定部３２に取り付けられる。
【００３５】
取付延出部５２は、取付部５１から延びて以下に説明する規制面５３及び取付部５１を接続する。取付延出部５２は、取付部５１の重ね合された二つの面のうち一方の面の端部から、規制部材５を構成する板状部材の幅方向外側に傾斜するように延出する部分である。取付部５１の一方の面と、取付延出部５２との間に形成される角度θ１は、例えば２０度から３０度であり、好ましくは２３〜２７度程度である。この角度を小さく構成することで、規制部材５の幅方向の長さを短くすることができる。
【００３６】
規制面５３は、取付部５１から取付延出部５２を介して連続し、取付延出部５２における取付部５１の屈曲端５１ｂ側の端部から、さらに幅方向外側に延びる部分である。規制面５３は、取付部５１に対して交差する方向に延びる。規制面５３は、取付部５１の屈曲端５１ｂの板厚の中心と取付延出部５２における屈曲端５１ｂ側の端部とを結び、規制部材５の幅方向に沿って略水平方向に延ばした仮想延長線Ｌ２に対して、例えば３度から７度の角度θ２、好ましくは５度程度、取付部５１から離間する外側方向へ傾斜する。規制面５３は、先端側に向かうほど外側に大きく傾斜している。規制面５３は、規制部材５が固定部３２に取り付けられた状態で、キャップ部材３の延出部３１の内側面に当接可能に延びる。
【００３７】
図２に戻って、シーリング材６は、サイディング２とキャップ部材３の固定部３２の間を埋めるように配置される。
【００３８】
図２及び３を参照して、サイディング２の施工方法について説明する。
まず、上下方向に延びる凹部２１及び凸部２２が交互に並んで配置される複数のサイディング２を、建物の外壁に沿って並べ、配置する（配置工程Ｓ１）。そして、サイディング２を釘等で固定して取り付けていく。サイディング２が建物の角まで到達したら、出隅部４に接するサイディング２の端部を出隅部４の位置に合わせ、余った部分を切断する（切断工程Ｓ２）。
【００３９】
このとき、出隅部４で突き合わされるサイディング２の第一面２１０の端部と、第二面２２０の端部において、両方とも凸部２２が端部に位置した場合には、第一延出部３１１及び第二延出部３１２とサイディング２の上面との距離がほぼ均等となり、バランスが保たれるので、規制部材５を取り付けなくてもよい。第一延出部３１１及び第二延出部３１２の端部が凸部２２の上面に支持されると、第一延出部３１１及び第二延出部３１２は傾きにくい。
【００４０】
また、サイディング２の第一面２１０の端部と、第二面２２０の端部において、両方とも凹部２１が端部に位置した場合、第一延出部３１１及び第二延出部３１２とサイディング２の上面との距離がほぼ均等となるため、バランスは保たれる。しかし、凹部２１と延出部３１との間には隙間が空き、延出部３１が脆弱になるので、規制部材５を固定部３２の両側（第一面２１０側及び第二面２２０側）に取り付けることで、延出部３１が傾きにくくなる。
【００４１】
一方、図２に示すように、サイディング２の第一面２１０の端部と、第二面２２０の端部において、一方に凹部２１が位置し、他方に凸部２２が位置した場合、キャップ部材を取り付けた場合、延出部３１の一方（例えば第二延出部３１２）が凸部２２により支持されるのに伴って一方側が持ち上がり、他方（例えば第一延出部３１１）の端部が凹部２１側に傾いてしまう場合がある。この場合、キャップ部材３を取り付ける際に、凹部２１側に規制部材５を取り付ける。
【００４２】
具体的には、出隅部４において、固定部３２の挿入部３２１を、サイディング２の第一面２１０、第二面２２０と外壁の胴縁１１との間にそれぞれ挿入し、固定部３２を配置して固定する（固定工程Ｓ３）。すると、挿入部３２１を構成する一対の板面部３２１ａ、３２１ｂが接続される部分から外側に突出する受け部３２２が、サイディング２の第一面２１０と第二面２２０の間の空間に位置する。
【００４３】
次に、上述の通り、切断工程Ｓ２の後、出隅部４を構成するサイディング２の両方（第一面２１０、第二面２２０）又は一方の端部に、凹部２１が配置されていた場合、受け部３２２の規制部材係合部３２２ｄ、３２２ｅのうち、凹部２１上に位置する規制部材係合部３２２ｄ、３２２ｅを、規制部材５の取付部５１で挟むようにして規制部材５を固定部３２に取り付ける（規制部材取付工程Ｓ４）。本実施形態では、図３に示すように、取付部５１の開口５１ａを規制部材係合部３２２ｅに被せて係合させる。
【００４４】
次に、図３に示すように、延出部３１を固定部３２の受け部３２２に近付け、係合部３１３を、受け部３２２の中央部３２２ａ及び延出部係合部３２２ｂ、中央部３２２ａ及び延出部係合部３２２ｃの間に挿入する。すると係合部３１３の先端で屈曲する屈曲部３１０ａが延出部係合部３２２ｂ、３２２ｃの内面を押圧することで、延出部３１が受け部３２２に取り付けられる。
【００４５】
このとき、規制部材５が受け部３２２における凹部２１の位置する側に取り付けられており、規制面５３が、取付部５１の屈曲端５１ｂの板厚の中心と取付延出部５２における屈曲端５１ｂ側の端部とを結び、規制部材５の幅方向に沿って略水平方向に延ばした仮想延長線Ｌ２に対して、例えば３度から７度の角度θ２、好ましくは５度程度、取付部５１から離間する外側方向へ傾斜している。このため、規制面５３は、凹部２１の位置する側に取り付けられた第一延出部３１１の内側面を外側に押圧する。これにより、第一延出部３１１は、規制部材５により内側に傾くことが規制される。
【００４６】
本実施形態によれば、以下の効果が奏される。
本実施形態では、外表面２ａにおいて上下方向にそれぞれ延びる凹部２１及び凸部２２が交互に並んで配置される複数のサイディング２と、２つの前記サイディングの外表面２ａが出合うことで形成される出隅部４を覆うキャップ部材３と、を備える外壁構造１を、キャップ部材３が、キャップ部材３を外壁に固定するための固定部３２と、固定部３２から２つのサイディング２の外表面２ａに沿って延出する一対の延出部３１と、を含むように構成した。また、出隅部４を構成する両方又は一方のサイディング２の端部には凹部２１を配置した。また、出隅部４における凹部２１を覆う延出部３１と凹部２１との間に、延出部３１が凹部２１側に変形移動するのを規制する規制部材５を設けた。
これにより、出隅部４におけるサイディング２の端部に、凹部２１が位置した場合に、キャップ部材３が、凹部２１側に傾こうとしても、規制部材５の規制面５３に規制されるため、傾きにくい。よって、キャップ部材３の延出部３１が、出隅部４におけるサイディング２の一方及び他方に均等に延出し、キャップ部材３の設置された姿勢を維持することができる。また、キャップ部材３がサイディング２の凹部２１にかかっても、傾きにくくすることができるため、キャップ部材３の見付け方向の寸法を短くすることが可能になり、キャップ部材３が目立ちにくく、外壁構造１の意匠性が向上する。
【００４７】
また、本実施形態では、規制部材５を、先端側に向かうほど外側に傾斜させた。これにより、規制部材５の規制面５３が、規制部材５の先端側に向かうほど、キャップ部材３の延出部３１における先端側を外側に大きく押圧することになる。キャップ部材３の延出部３１は、頂部３１０の裏側（内側）で固定部３２に係合し、支持されているが、第一延出部３１１又は第二延出部３１２の先端に向かうほど、支点から遠くなり、傾きやすく、延出部３１の重量がかかりやすい。規制面５３が第一延出部３１１及び第二延出部３１２の先端側に向かうほど大きく外側に押すことで、第一延出部３１１及び第二延出部３１２の傾きを、より確実に防止することができる。よって、上記と同様の効果を奏することができる。
【００４８】
また、本実施形態では、出隅部４を構成する一方のサイディング２（第一延出部３１１）の端部に、凹部２１を配置し、出隅部４を構成する他方のサイディング２（第二延出部３１２）の端部には凸部２２を配置した。出隅部４を構成するサイディング２の一方と他方で高さが異なる場合、サイディング２が凸部２２に支持されることで、凹部２１側に傾きやすくなる。そこで、このような配置の場合に規制部材５を設けることで、キャップ部材３の傾きを確実に防止することができる。
【００４９】
また、本実施形態では、外表面２ａにおいて上下方向にそれぞれ延びる凹部２１及び凸部２２が交互に並んで配置される複数のサイディング２と、２つのサイディング２の外表面２ａが出合うことで形成される出隅部４を覆うキャップ部材３と、を備える外壁構造１の施工方法において、キャップ部材３を、建物の外壁に固定するための固定部３２及び２つのサイディング２の外表面２ａに沿って延出する一対の延出部３１を含んで構成した。また、外壁構造の施工方法を、複数のサイディング２を外壁に沿って配置する配置工程Ｓ１と、出隅部４に接するサイディング２の端部を、出隅部４の位置に合わせて切断する切断工程Ｓ２と、固定部３２を、２つのサイディング２と外壁との間に配置して固定する固定工程Ｓ３と、切断工程Ｓ２の後、出隅部４を構成する両方又は一方のサイディング２の端部に凹部２１が配置された場合に、キャップ部材３の延出部３１が凹部２１側に変形移動するのを規制する規制部材５を、固定部３２に取り付ける規制部材取付工程Ｓ４と、を含んで構成した。
これにより、上記と同様の効果を奏することができる。また、切断工程Ｓ２の後で、サイディング２の切断部の形状に応じて、必要な場合に規制部材５を取り付けることができるので、効率的にキャップ部材３の傾きを防止することができ、作業性が向上する。
【００５０】
また、本実施形態では、規制部材５を、２つのサイディング２の外表面２ａが出合うことで形成される出隅部４を覆うキャップ部材３の変形移動を規制させた。また、規制部材５を、キャップ部材３における出隅部４を覆うように延出する一対の延出部（第一延出部３１１、第二延出部３１２）の内側面に当接可能に延びる規制面５３を含んで構成した。これにより、サイディング２における切断した端部の形状に応じて規制部材５を自在にキャップ部材３に取り付けることができる。また、取り付けた規制部材５の規制面５３が延出部３１の内側面に当接することで、延出部３１が凹部２１側に変形移動するのを規制することができる。
【００５１】
また、本実施形態では、規制面５３を、先端側に向かうほど外側に傾斜させ、規制部材５を、キャップ部材３に取り付けられる取付部５１と、取付部５１から延びて規制面５３及び取付部５１を接続する取付延出部５２と、をさらに含んで構成した。これにより、規制面５３が先端側に向かうほど延出部３１を外側に向かって押圧するので、延出部３１の先端側を確実に外側に規制することができる。また、キャップ部材３に取り付けられる取付部５１と規制面５３とを取付延出部５２が接続しているので、この取付延出部５２の長さや取付部５１と規制面５３とを結ぶ角度等を変更することで、規制部材５の幅方向の寸法を自在に変更することができる。規制部材５の幅方向の寸法を短くした場合、より意匠性が向上する。
【００５２】
なお、本発明は上記実施形態に限定されるものではなく、本発明の目的を達成できる範囲での変形、改良等は本発明に含まれる。
例えば、上記実施形態では、サイディング２は、金属サイディングであるが、これに限られない。外表面２ａに凹部２１及び凸部２２が並んで配置されるものであれば、窯業サイディングであってもよく、その他のパネルであってもよい。
【符号の説明】
【００５３】
１    外壁構造
２    サイディング
２ａ  外表面
３    キャップ部材
４    出隅部
５    規制部材
２１  凹部
２２  凸部
３１  延出部
３２  固定部
５１  取付部
５３  規制面
【図１】
2019073924.tif 000003
【図２】
2019073924.tif 000004
【図３】
2019073924.tif 000005
【図４】
2019073924.tif 000006